(57)【要約】【課題】高効率なスモールセル無線アクセスを提供すること。【解決手段】マクロ局（３０）、ローカル局（２０）、移動端末装置（１０）を備えた通信システムにおいて、ローカル局（２０）が移動端末装置（１０）において測定に用いられる測定用信号を、ユーザ識別子又はユーザグループ識別子に基づいて生成し、移動端末装置（１０）に送信する。移動端末装置（１０）は、ローカル局（２０）が送信する測定用信号を受信し、ユーザ識別子又はユーザグループ識別子に基づいて、測定用信号について測定する。【選択図】図６
2014030132.tif 000002
【特許請求の範囲】
【請求項１】
マクロセルを形成するマクロ基地局装置と、前記マクロ基地局装置と通信リンクを介して接続され前記マクロセル内にスモールセルを形成する複数のローカル基地局装置と、前記マクロ基地局装置との間ではマクロセル用の無線通信方式で通信可能であり、前記各ローカル基地局装置との間ではスモールセル用の無線通信方式で通信可能である移動端末装置と、を備えた通信システムであって、
前記ローカル基地局装置は、前記移動端末装置において測定に用いられる測定用信号を、ユーザ識別子又はユーザグループ識別子に基づいて生成する生成部と、生成された測定用信号を前記移動端末装置に送信する送信部と、を具備し、
前記移動端末装置は、前記ローカル基地局装置が送信する測定用信号を受信する受信部と、ユーザ識別子又はユーザグループ識別子に基づいて前記測定用信号を特定して測定する測定部と、を具備したことを特徴とする通信システム。
【請求項２】
前記測定用信号は、ＬＴＥ Release 10に規定された同期信号と同一の信号系列の信号であり、同期信号の信号系列がユーザ識別子又はユーザグループ識別子に応じて異なることを特徴とする請求項１記載の通信システム。
【請求項３】
前記測定用信号は、ＬＴＥ Release 10に規定された同期信号と同一又は異なる信号系列であって、当該同期信号とは異なる時間及び周波数位置に多重され、少なくとも多重位置又は系列がユーザ識別子又はユーザグループ識別子に応じて異なることを特徴とする請求項１記載の通信システム。
【請求項４】
前記測定用信号は、前記移動端末装置においてローカル基地局装置を検出するためのスモールセル固有の検出信号であり、少なくとも検出信号の信号系列がユーザ識別子又はユーザグループ識別子に応じて異なることを特徴とする請求項１記載の通信システム。
【請求項５】
前記測定用信号は、ＬＴＥ Release 10に規定された参照信号又は参照信号の一部と同一の信号系列の信号であって、当該参照信号の信号系列又は参照信号の一部の信号系列がユーザ識別子又はユーザグループ識別子に応じて異なることを特徴とする請求項１記載の通信システム。
【請求項６】
マクロセルを形成するマクロ基地局装置と、前記マクロ基地局装置と通信リンクを介して接続され前記マクロセル内にスモールセルを形成する複数のローカル基地局装置と、前記マクロ基地局装置との間ではマクロセル用の無線通信方式で通信可能であり、前記各ローカル基地局装置との間ではスモールセル用の無線通信方式で通信可能である移動端末装置と、を備えた通信システムであって、
前記ローカル基地局装置は、前記移動端末装置においてローカル基地局装置の検出に用いられる同期信号のパラメータに基づいて、前記移動端末装置においてローカル基地局装置との間のチャネル状態の測定に用いられる測定用信号を生成する生成部と、前記測定用信号を前記移動端末装置へ送信する送信部と、を具備し、
前記移動端末装置は、前記ローカル基地局装置が送信する測定用信号を受信する受信部と、同期信号のパラメータによって測定用信号を特定して測定する測定部と、を具備したことを特徴とする通信システム。
【請求項７】
前記生成部は、前記移動端末装置においてローカル基地局装置を検出するためのスモールセル固有の検出信号を前記同期信号として生成し、下り参照信号としてＬＴＥ Release 10に規定されたＣＳＩ−ＲＳ又はＤＭ−ＲＳを、前記検出信号のパラメータに基づいてスクランブルして前記測定用信号を生成し、
前記測定部は、前記検出信号を測定したときに取得された検出信号のパラメータに基づいて前記測定用信号を特定して測定することを特徴とする請求項６記載の通信システム。
【請求項８】
マクロセルを形成するマクロ基地局装置と、前記マクロ基地局装置と通信リンクを介して接続され前記マクロセル内にスモールセルを形成する複数のローカル基地局装置と、前記マクロ基地局装置との間ではマクロセル用の無線通信方式で通信可能であり、前記各ローカル基地局装置との間ではスモールセル用の無線通信方式で通信可能である移動端末装置と、を備えた通信システムであって、
前記マクロ基地局装置は、前記移動端末装置において測定に用いられる測定用信号に関する特定情報を前記移動端末装置にハイヤレイヤシグナリングで通知し、
前記ローカル基地局装置は、前記特定情報に基づいて系列生成して前記測定用信号を生成する生成部と、生成された測定用信号を前記移動端末装置に送信する送信部と、を具備し、
前記移動端末装置は、前記ローカル基地局装置が送信する測定用信号を受信する受信部と、前記マクロ基地局装置から通知された特定情報に基づいて、前記測定用信号を特定して測定する測定部と、を具備したことを特徴とする通信システム。
【請求項９】
マクロセルを形成するマクロ基地局装置と、前記マクロ基地局装置と通信リンクを介して接続され前記マクロセル内にスモールセルを形成する複数のローカル基地局装置と、前記マクロ基地局装置との間ではマクロセル用の無線通信方式で通信可能であり、前記各ローカル基地局装置との間ではスモールセル用の無線通信方式で通信可能である移動端末装置と、を備えた通信システムにおいて、前記ローカル基地局装置を構成する基地局装置であって、
前記移動端末装置において測定に用いられる測定用信号を、ユーザ識別子又はユーザグループ識別子に基づいて生成する生成部と、
生成された測定用信号を前記移動端末装置に送信する送信部と、
を具備したことを特徴とする基地局装置。
【請求項１０】
マクロセルを形成するマクロ基地局装置との間でマクロセル用の無線通信方式で通信し、前記マクロ基地局装置と通信リンクを介して接続され前記マクロセル内にスモールセルを形成する複数のローカル基地局装置との間ではスモールセル用の無線通信方式で通信する移動端末装置であって、
前記ローカル基地局装置が送信する測定用信号を受信する受信部と、
ユーザ識別子又はユーザグループ識別子に基づいて、前記測定用信号について測定する測定部と、を具備したことを特徴とする移動端末装置。
【請求項１１】
マクロセルを形成するマクロ基地局装置と、前記マクロ基地局装置と通信リンクを介して接続され前記マクロセル内にスモールセルを形成する複数のローカル基地局装置と、前記マクロ基地局装置との間ではマクロセル用の無線通信方式で通信可能であり、前記各ローカル基地局装置との間ではスモールセル用の無線通信方式で通信可能である移動端末装置と、を備えた通信システムにおいて、前記ローカル基地局装置を構成する基地局装置であって、
前記移動端末装置においてローカル基地局装置の検出に用いられる同期信号のパラメータに基づいて、前記移動端末装置においてローカル基地局装置との間のチャネル状態の測定に用いられる測定用信号を生成する生成部と、
前記測定用信号を前記移動端末装置へ送信する送信部と、
を具備したことを特徴とする基地局装置。
【請求項１２】
マクロセルを形成するマクロ基地局装置との間でマクロセル用の無線通信方式で通信し、前記マクロ基地局装置と通信リンクを介して接続され前記マクロセル内にスモールセルを形成する複数のローカル基地局装置との間ではスモールセル用の無線通信方式で通信する移動端末装置であって、
前記ローカル基地局装置が送信する測定用信号を受信する受信部と、
スモールセルの同期信号のパラメータによって測定用信号を特定して測定する測定部と、
を具備したことを特徴とする移動端末装置。
【請求項１３】
マクロセルを形成するマクロ基地局装置と、前記マクロ基地局装置と通信リンクを介して接続され前記マクロセル内にスモールセルを形成する複数のローカル基地局装置と、前記マクロ基地局装置との間ではマクロセル用の無線通信方式で通信可能であり、前記各ローカル基地局装置との間ではスモールセル用の無線通信方式で通信可能である移動端末装置と、を備えた通信システムにおける通信方法であって、
前記ローカル基地局装置が、前記移動端末装置において測定に用いられる測定用信号を、ユーザ識別子又はユーザグループ識別子に基づいて生成するステップと、
前記ローカル基地局装置が、生成された測定用信号を前記移動端末装置に送信するステップと、
前記移動端末装置が、前記ローカル基地局装置が送信する測定用信号を受信するステップと、
前記移動端末装置が、ユーザ識別子又はユーザグループ識別子に基づいて、前記測定用信号を特定して測定するステップと、を具備したことを特徴とする通信方法。
【請求項１４】
マクロセルを形成するマクロ基地局装置と、前記マクロ基地局装置と通信リンクを介して接続され前記マクロセル内にスモールセルを形成する複数のローカル基地局装置と、前記マクロ基地局装置との間ではマクロセル用の無線通信方式で通信可能であり、前記各ローカル基地局装置との間ではスモールセル用の無線通信方式で通信可能である移動端末装置と、を備えた通信システムにおける通信方法であって、
前記ローカル基地局装置において前記移動端末装置においてローカル基地局装置の検出に用いられる同期信号のパラメータに基づいて、前記移動端末装置においてローカル基地局装置との間のチャネル状態の測定に用いられる測定用信号を生成するステップと、
前記ローカル基地局装置が、前記測定用信号を前記移動端末装置へ送信するステップと、
前記移動端末装置において前記ローカル基地局装置が送信する測定用信号を受信するステップと、
前記移動端末装置が、同期信号のパラメータによって測定用信号を特定して測定するステップと、
を具備したことを特徴とする通信方法。
【発明の詳細な説明】
【技術分野】
【０００１】
本発明は、次世代移動通信システムにおける通信システム、基地局装置、移動端末装置及び通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ:Long  Term  Evolution）が検討されている（非特許文献１）。ＬＴＥではマルチアクセス方式として、下り回線（下りリンク）にＯＦＤＭＡ（Orthogonal  Frequency  Division  Multiple  Access）をベースとした方式を用い、上り回線（上りリンク）にＳＣ−ＦＤＭＡ（Single  Carrier  Frequency  Division  Multiple  Access）をベースとした方式を用いている。
【０００３】
また、ＬＴＥからのさらなる広帯域化及び高速化を目的として、ＬＴＥの後継システムも検討されている（例えば、ＬＴＥアドバンスト又はＬＴＥエンハンスメントと呼ぶこともある（以下、「ＬＴＥ−Ａ」という））。ＬＴＥ−Ａの１つであるRel-10においては、ＬＴＥシステムのシステム帯域を１単位とする複数のコンポーネントキャリア（CC:  Component  Carrier）を束ねて広帯域化するキャリアアグリゲーションの採用が合意されている。また、Rel-10及びそれ以降のＬＴＥ−Ａにおいて、マクロセルエリア内に多数の小セルをオーバレイするヘテロジーニアスネットワーク（ＨｅｔＮｅｔ：Heterogeneous  Network）構成による大容量化が検討されている。
【先行技術文献】
【非特許文献】
【０００４】
【非特許文献１】3GPP  TR  25.913“Requirements  for  Evolved  UTRA  and  Evolved  UTRAN”
【発明の概要】
【発明が解決しようとする課題】
【０００５】
ところで、Ｗ−ＣＤＭＡ、ＬＴＥ（Rel.8）、ＬＴＥの後継システム（例えば、Rel.9、Rel.10）等のセルラシステムでは、マクロセルをサポートするように無線通信方式（無線インタフェース）が設計されている。今後は、このようなセルラ環境に加えて、インドア、ショッピングモール等のスモールセルでの近距離通信による高速無線サービスを提供することが想定される。このため、マクロセルでカバレッジを確保しつつ、スモールセルでキャパシティを確保できるように、スモールセルに特化した新たな無線通信方式の設計が求められている。
【０００６】
本発明はかかる点に鑑みてなされたものであり、高効率なスモールセル無線アクセスを提供できる通信システム、基地局装置、移動端末装置及び通信方法を提供することを目的とする。
【課題を解決するための手段】
【０００７】
本発明の通信システムは、マクロセルを形成するマクロ基地局装置と、前記マクロ基地局装置と通信リンクを介して接続され前記マクロセル内にスモールセルを形成する複数のローカル基地局装置と、前記マクロ基地局装置との間ではマクロセル用の無線通信方式で通信可能であり、前記各ローカル基地局装置との間ではスモールセル用の無線通信方式で通信可能である移動端末装置と、を備えた通信システムであって、前記ローカル基地局装置は、前記移動端末装置において測定に用いられる測定用信号を、ユーザ識別子又はユーザグループ識別子に基づいて生成する生成部と、生成された測定用信号を前記移動端末装置に送信する送信部と、を具備し、前記移動端末装置は、前記ローカル基地局装置が送信する測定用信号を受信する受信部と、ユーザ識別子又はユーザグループ識別子に基づいて、前記測定用信号について測定する測定部と、を具備したことを特徴とする。
【発明の効果】
【０００８】
本発明によれば、スモールセルに特化した高効率なスモールセル無線アクセスを提供することが可能となる。
【図面の簡単な説明】
【０００９】
【図１】マクロセル内に多数のスモールセルを配置した構成を示す図である。
【図２】図２Ａはマクロセルとスモールセルとが同一のキャリアで運用されるＨｅｔＮｅｔ構成図であり、図２Ｂはマクロセルとスモールセルとが異なるキャリアで運用されるＨｅｔＮｅｔ構成図である。
【図３】実施の形態に係る通信システムにおけるシーケンス図である。
【図４】無線通信システムのシステム構成の説明図である。
【図５】マクロ局の全体構成図である。
【図６】ローカル局の全体構成図である。
【図７】移動端末装置の全体構成図である。
【発明を実施するための形態】
【００１０】
図１に示すように、ヘテロジーニアスネットワーク構成では、マクロセルエリア内に多数の小セルが配置されるが、マクロセルエリア内に多数のスモールセルＳを配置する場合、ネットワークコストに対するキャパシティを考慮して、スモールセルＳを設計することが求められている。ネットワークコストとしては、例えば、ネットワークノードやバックホールリンク等の設置コスト、セルプランニングや保守対応等のオペレーションコスト、ネットワーク側の消費電力等が挙げられる。またスモールセルＳには、キャパシティ以外の要求として、移動端末装置側の省消費電力化やランダムセルプランニングのサポートが求められている。
【００１１】
本発明は、図２Ａ、Ｂに示す２種類のヘテロジーニアスネットワークにそれぞれ適用可能である。
【００１２】
図２Ａに示すＨｅｔＮｅｔ構成は、マクロセルＭとスモールセルＳとが同一のキャリア（周波数Ｆ０）で運用される。３ＧＰＰにおいて、ＨｅｔＮｅｔにおけるセル間干渉制御(eICIC: enhanced Inter-Cell Interference Coordination)技術が検討された。その結果、時間領域のeICICについて合意されている。時間領域（サブフレーム単位）での干渉コーディネーションはシングルキャリアでも適用可能である。Almost blank subframe（データを送信しないサブフレーム）もしくはMBSFN  subframeを無送信区間として利用し、干渉の低減が図られる。
【００１３】
図２Ｂに示すＨｅｔＮｅｔ構成では、マクロセルＭとスモールセルＳが別周波数（Ｆ１，Ｆ２）で運用される。マクロセルＭとスモールセルＳとを別周波数（Ｆ１，Ｆ２）で運用するためには、ＬＴＥ-Ａに規定されるキャリアアグリゲーションを用いることができる。Rel-10においては、既存システム（ＬＴＥ）のシステム帯域を１単位とする複数のコンポーネントキャリア（CC:  Component  Carrier）を束ねて広帯域化するキャリアアグリゲーションが規定されている。図２Ｂに示すＨｅｔＮｅｔ構成は、スモールセルＳにおいて従来のセルＩＤの概念がない，ユーザデータの伝送に特化した無線インターフェイス(NCT: New Carrier Type)を適用するコンセプトである。図２Ｂに示すＨｅｔＮｅｔ構成は、制御信号を伝送するC(Control)-planeとユーザデータを伝送するU(User)-planeをそれぞれマクロセルＭおよびスモールセルＳで別々にサポートする。特にマクロセルＭを既存のＬＴＥの周波数帯（例えば２ＧＨｚ帯）、スモールセルＳをマクロセルＭより高い周波数帯（例えば３．５ＧＨｚ帯）で運用することにより、移動局(UE:User Equipment)の移動に対する高い接続性を保持しつつ、広い帯域幅を用い、マクロセル/スモールセル間で干渉が生じない高速通信が実現できる。更に、セル固有の信号（ＣＲＳ等)を除去したＮＣＴの適用により、セルプラニングの簡易化、Energy saving、CoMP(Coordinated Multi-Point)技術等の柔軟な適用といった多くのメリットが得られる。また，マクロセルＭはC-planeおよびU-planeを共にサポートし、近くにスモールセルの存在しないＵＥの伝送品質を実現する。
【００１４】
図２Ｂに示すＨｅｔＮｅｔ構成では、マクロセルとスモールセルとの間で要求の違いや構成の相違点が考えられる。マクロセルは帯域幅が限定されるため、周波数利用効率が非常に重要である。これに対して、スモールセルは帯域幅を広く取り易いので、広い帯域幅を確保できればマクロセルほど周波数利用効率の重要性は高くない。マクロセルは車等の高いモビリティにも対応する必要があるが、スモールセルは低いモビリティに対応すればよい。マクロセルはカバレッジを広く確保する必要がある。一方で、スモールセルはカバレッジを広く確保することが好ましいが、カバレッジの不足分はマクロセルでカバー可能である。
【００１５】
また、マクロセルは上下リンクの電力差が大きく、上下リンクが非対称になっているが、スモールセルは上下リンクの電力差が小さく、上下リンクが対称に近付けられている。さらに、マクロセルは、セル当たりの接続ユーザ数が多く、セルプランニングもされているため、トラヒックの変動が小さい。これに対し、スモールセルでは、セル当たりの接続ユーザ数が少なく、セルプランニングがされていない可能性もあるので、トラヒックの変動が大きい。このように、スモールセルは、マクロセルと最適な要求条件が異なっているので、スモールセルに特化した無線通信方式を設計する必要がある。
【００１６】
スモールセル用の無線通信方式は、省消費電力化やランダムセルプランニングに起因した干渉を考慮すると、トラヒックが無い場合には無送信にする構成が望ましい。このため、スモールセル用の無線通信方式は、限りなくUE-specificな設計が想定される。したがって、スモールセル用の無線通信方式は、ＬＴＥにおけるＰＳＳ／ＳＳＳ（Primary  Synchronization  Signal/Secondary  Synchronization  Signal）、ＣＲＳ（Cell-specific  Reference  Signal）、ＰＤＣＣＨ（Physical  Downlink  Control  Channel）等を使用せず、ｅＰＤＣＣＨ（enhanced  Physical  Downlink  Control  Channel）、ＤＭ−ＲＳ（Demodulation  −  Reference  Signal）をベースとして設計されることが想定される。
【００１７】
ｅＰＤＣＣＨは、ＰＤＳＣＨ領域（データ信号領域）内の所定周波数帯域をＰＤＣＣＨ領域（制御信号領域）として使用するものである。ＰＤＳＣＨ領域に割り当てられたｅＰＤＣＣＨは、ＤＭ−ＲＳを用いて復調される。なお、ｅＰＤＣＣＨは、ＦＤＭ型ＰＤＣＣＨと呼ばれてもよいし、ＵＥ−ＰＤＣＣＨと呼ばれてもよい。また、スモールセルの無線通信方式では、既存のキャリアとは異なる新たなキャリアが用いられるが、この新たなキャリアは追加キャリア（Additional  carrier）と呼ばれてもよいし、拡張キャリア（extension  carrier）と呼ばれてもよい。
【００１８】
ところで、ＬＴＥ等を用いた無線通信システムにおいて、移動端末装置は、電源立ち上げ時、待ち受け中、通信中、あるいは、通信中の間欠受信時等において、同期チャネルなどに基づいて、自局にとって無線品質が良好なセルを検出しなければならない。このプロセスを、無線リンクを接続すべきセルを探すという意味で、セルサーチと呼ぶ。また、移動端末装置は、システム帯域の全体に配置された下り参照信号に基づいてチャネル状態を求めてチャネル状態（CSI：Channel State Information)を基地局へ通知する。ＬＴＥでは、ＣＳＩに反映させるパラメータとして、ＣＱＩ（Channel Quality Indicator）、ＰＭＩ（Precoding Matrix Indicator）、ＲＩ（Rank Indicator）が規定されている。
【００１９】
本発明者等は、UE-specificに設計されるスモールセル用の無線通信方式において、複数のスモールセルのセルサーチ、スモールセルとの同期、スモールセル間のハンドオーバ又はセルの再選択のための測定信号、さらにスモールセルのシステム帯域のチャネル状態を検出するための測定信号が、スモールセルに特化した高効率なスモールセル無線アクセスを実現するために重要であることに着目し、本発明に到達した。
【００２０】
以下の説明では、移動端末装置がスモールセルの受信信号電力（ＲＳＲＰ：Reference  Signal  Received  Power）、受信品質（ＲＳＲＱ：Reference  Signal  Received  Quality)、受信信号対干渉および雑音電力比（ＲＳＳＩ：Received  Signal  Strength  Indicator）を測定するための測定用信号のこと、並びに、セル（マクロセル、スモールセル）のシステム帯域におけるチャネル状態を測定するための測定用信号のことを総称して「測定用信号」ということとする。
【００２１】
なお、測定用信号のうちスモールセルを発見するセルサーチのためのMEASUREMENT用信号のことを「DISCOVERY  SIGNAL」と呼ぶこととする。「DISCOVERY  SIGNAL」は、ＰＤＣＨ（Physical  Discovery  Channel）、ＢＳ（Beacon  Signal）、ＤＰＳ（Discovery  Pilot  Signal）と呼ばれてもよい。また、マクロセルを構成する基地局装置のことを「マクロ局」と呼び、スモールセルを構成する基地局装置のことを「ローカル局」と呼ぶこととする。
【００２２】
本発明の第１の側面は、ローカル局において特定情報に基づいて系列生成した測定用信号を下りリンクによって送信し、測定用信号の系列生成に用いられた特定情報をハイヤレイヤシグナリング又は報知信号によって移動端末装置へ通知し、移動端末装置において通知された特定情報に基づいて測定信号を特定してＲＳＲＰ（及び又は、ＲＳＲＱ、ＲＳＳＩ）又はチャネル状態を測定する。
【００２３】
これにより、ローカル局において任意の特定情報に基づいて測定用信号を生成することができると共に、測定用信号の系列生成の元になる特定情報がハイヤレイヤシグナリング又は報知信号によって移動端末装置へ通知されるので、スモールセル固有の測定用信号であっても移動端末装置で受信して測定することができる。
【００２４】
本発明の第２の側面は、ローカル局において移動端末装置に割り当てられるユーザＩＤ又は移動端末装置のグループに割り当てられるユーザグループＩＤに基づいて系列生成した測定用信号を下りリンクによって送信し、移動端末装置において自ノードのユーザＩＤ又はユーザグループＩＤに基づいて測定用信号を特定してＲＳＲＰ（及び又は、ＲＳＲＱ、ＲＳＳＩ）又はチャネル状態を測定する。
【００２５】
これにより、ユーザＩＤ又はユーザグループＩＤに基づいて測定用信号の信号系列を生成するので、信号系列がセルＩＤに紐づけられた信号に比べて、セルＩＤに制限されずに測定用信号の信号系列を生成できる。また、スモールセル固有の測定用信号であっても移動端末装置は認識しているユーザＩＤ又はユーザグループＩＤに基づいて測定用信号を特定して測定することができる。
【００２６】
本発明の第３の側面は、スモールセルの同期チャネルをＲＳＲＰ（及び又は、ＲＳＲＱ、ＲＳＳＩ）測定用の測定用信号として生成し、スモールセルの同期チャネルの系列情報に基づいてチャネル状態測定用の測定信号を生成し、移動端末装置においてスモールセルの同期チャネルのパラメータに基づいてＲＳＲＰ（及び又は、ＲＳＲＱ、ＲＳＳＩ）測定用の測定信号を特定してＲＳＲＰ（及び又は、ＲＳＲＱ、ＲＳＳＩ）を測定し、スモールセルの同期チャネルの系列情報に基づいてチャネル状態測定用の測定信号を特定してチャネル状態を測定する。
【００２７】
これにより、チャネル状態測定用の測定信号がスモールセルの同期チャネルの系列情報に基づいて生成されるので、チャネル状態測定用の測定信号に関する制御情報のシグナリングを削減することができる。
【００２８】
なお、測定用信号として、以下の（１）から（４）のいずれか又はそれらの任意の組み合わせによる信号を用いることができる。
（１）測定用信号として、ＬＴＥ-Ａ（Release  10）において規定される同期信号（PSS  :Primary  synchronization  signals,   SSS:  Secondary  synchronization  signals）を用いることができる。ＰＳＳは、サブフレーム０と５の最初のスロットにおける最後のシンボルの中で送信され、ＳＳＳは、同じスロットの最後から２番目のシンボルの中で伝送される。またＰＳＳは、長さ６３のZadoff-Chu系列であり、中心の７３サブキャリアにマッピングされる。ＳＳＳは、２つの長さ３１のｍ系列ＸとＹの周波数インターリーブをベースにして生成されており、ＸとＹは３１の異なった値をとる（実際には同じｍ系列の３１の異なったシフトが適用される）。
（２）測定用信号として、ＬＴＥ-Ａ（Release  10）において規定される同期信号（ＰＳＳ，ＳＳＳ）と同一、又は異なる信号系列であって、時間／周波数方向に異なる位置で多重した信号を用いることができる。例えば、ＰＳＳとＳＳＳに対して異なるスクランブル系列を用いたり、異なるスロットに多重された信号を用いることができる。
（３）測定用信号として、スモールセル用のDISCOVERY  SIGNALを用いることができる。例えば、ＬＴＥ（Release 8）において規定される同期信号（ＰＳＳ，ＳＳＳ）と同一、又は異なる信号系列であって、同期信号（ＰＳＳ，ＳＳＳ）よりも送信周期が長い及び又は送信単位当たりの無線リソース量（密度）が高い、信号を用いることができる。
（４）測定用信号として、ＬＴＥ又はＬＴＥ-Ａ（Release  10）で既に規定されている参照信号（ＣＳＩ-ＲＳ、ＣＲＳ、ＤＭ-ＲＳ（UE-specific  Reference  Signalsともいう）、ＰＲＳ、ＳＲＳ）を用いることができる。又は、既存の参照信号の一部を用いることができる。たとえば、１ポートのＣＲＳを５ｍｓｅｃ周期で送信するような信号を用いることができる。
【００２９】
次に、本発明の第１の側面について詳細に説明する。
図３を参照して、スモールセルにおける測定信号について説明する。
【００３０】
マクロ局３０と移動端末装置１０との間は無線リンクで接続され、ローカル局２０と移動端末装置１０との間は無線リンクで接続される。マクロ局３０とローカル局２０との間はケーブル（ファーバーバックホール）又は無線リンク（ワイヤレスバックホール）で接続される。マクロ局３０とローカル局２０との間のインターフェースとしてＸ２インターフェース又はその他のインターフェースを適用できる。その他のインターフェースは、図２Ｂに示すように、一部の機能についてはマクロ局からの命令に従うようなＸ２インターフェースの発展型インターフェースであってもよい。なお、主に以下の説明では、一部の機能についてはマクロ局からの命令に従うような発展型インターフェースが適用される場合について説明する。
【００３１】
ＬＴＥ-Ａシステムにおいて、移動端末装置１０が基地局（マクロ局３０又はローカル局２０）との間でデータチャネル／制御チャネルの送受信を開始するためには、次の手順が発生する。
（１）同期確立
移動端末装置１０は基地局から送信される同期チャネルを受信して基地局との間で同期を確立させる。
（２）MEASUREMENTレポートのためのMEASUREMENT
移動端末装置１０は基地局から送信される報知信号を受信して基地局からの受信信号電力を測定する（MEASUREMENT）。移動端末装置１０は複数のセルについての受信信号電力を測定し、測定結果はMEASUREMENTレポートとして基地局へ通知する。
（３）ＣＳＩフィードバックのためのMEASUREMENT
移動端末装置１０は、ユーザ固有の下り参照信号（ＣＳＩ-ＲＳ）を受信してチャネル品質（ＣＱＩ）を測定する（MEASUREMENT）。測定用信号から測定したＣＱＩ及び決定したＰＭＩ，ＲＩからなるＣＳＩ情報（ＣＱＩ，ＰＭＩ，ＲＩ）を基地局へフィードバックする。
（４）データチャネル／制御チャネルの送信
基地局は、移動端末装置１０に送信するデータチャネル／制御チャネルに対してＣＳＩ情報に基づいてリソースを割り当て、移動端末装置１０に対してデータチャネル／制御チャネルを送信する。
【００３２】
ここで、ローカル局２０における測定用信号の生成方法及び測定用信号を移動端末装置１０が受信してＲＳＲＰ等を測定する場合（MEASUREMENT）について考える。
【００３３】
図３に示すように、マクロ局３０が、ローカル局２０の送信する測定用信号のパラメータを決定し、測定用信号を送信するための制御情報（送信用制御情報）をローカル局２０にバックホールリンクで伝える（ステップＳ１）。ローカル局２０は、送信用制御情報に基づいて系列生成した測定用信号を下りリンクを介して送信する（ステップＳ２）。また、マクロ局３０が、移動端末装置１０で測定用信号を測定して報告するための制御情報（測定用制御情報）を、ハイヤレイヤシグナリング（例えば、ＲＲＣシグナリング、報知信号）により移動端末装置１０へ通知する（ステップＳ３）。移動端末装置１０は、測定用制御情報に基づいて、ローカル局２０から送信される測定用信号のＲＳＲＰ、ＣＱＩを測定する。移動端末装置１０は、測定用信号のＲＳＲＰを測定した結果を、MEASUREMENTレポートとしてマクロ局３０へ通知する（ステップＳ４）。また、移動端末装置１０は、測定用制御情報に基づいて、ローカル局２０から送信される測定用信号のＣＱＩを測定し、ＣＳＩ情報（ＣＱＩ，ＰＭＩ，ＲＩ）を取得する。移動端末装置１０は、測定用信号に基づいて決定したＣＳＩ情報をローカル局２０又はマクロ局３０へフィードバックする（ステップＳ５）。
【００３４】
例えば、測定用信号としてＰＳＳ，ＳＳＳと同一の信号を用いる場合、マクロ局３０は、ＰＳＳ，ＳＳＳを送信するための送信用制御情報をローカル局２０へ通知する（ステップＳ１）。また、マクロ局３０は、ＰＳＳ，ＳＳＳそれぞれの信号系列を測定用制御情報としてハイヤレイヤシグナリングにより移動端末装置１０へ通知する。ローカル局２０は、通知された送信用制御情報に基づいてＰＳＳ，ＳＳＳと同一の信号を測定用信号として送信する。移動端末装置１０はＰＳＳ，ＳＳＳの信号系列に基づいて測定用信号を特定してＲＳＲＰ又はＣＱＩを測定する。
【００３５】
また、測定用信号として、ＰＳＳ，ＳＳＳと同一、又は異なる信号系列であって、時間／周波数方向に異なる位置で多重した信号を用いる場合、マクロ局３０は、ＰＳＳ，ＳＳＳそれぞれの信号系列と時間／周波数方向の多重位置情報を、送信用制御情報としてローカル局２０へ通知する。また、マクロ局３０は、ＰＳＳ，ＳＳＳそれぞれの信号系列と時間／周波数方向の多重位置情報を、測定用制御情報としてハイヤレイヤシグナリングにより移動端末装置１０へ通知する。ローカル局２０は、送信用制御情報に基づいてＰＳＳ，ＳＳＳそれぞれの信号系列を生成して時間／周波数方向の所定位置に多重して測定用信号を生成する。ＰＳＳとＳＳＳとを異なるスロットに多重する場合は、スロット番号を測定用制御情報として通知する。移動端末装置１０は、ＰＳＳとＳＳＳが配置されるスロット番号及び信号系列に基づいて測定用信号を特定してＲＳＲＰ又はＣＱＩを測定する。
【００３６】
また、測定用信号として、スモールセル用のDISCOVERY  SIGNALを用いる場合、マクロ局３０は、DISCOVERY  SIGNALの無線リソース、信号系列、キャリア周波数、帯域幅等のパラメータを、送信用制御情報としてローカル局２０へ通知する。また、マクロ局は、DISCOVERY  SIGNALの無線リソース、信号系列、キャリア周波数、帯域幅等のパラメータを、測定用制御情報としてハイヤレイヤシグナリングにより移動端末装置１０へ通知する。ローカル局２０は、通知された送信用制御情報に基づいてDISCOVERY  SIGNALを生成して送信する。移動端末装置１０は、DISCOVERY  SIGNALの無線リソース、信号系列、キャリア周波数、帯域幅等のパラメータに基づいてDISCOVERY  SIGNALを特定してＲＳＲＰ又はＣＱＩを測定する。
【００３７】
また、測定用信号として、ＬＴＥ又はＬＴＥ-Ａで既に規定されている参照信号（ＣＳＩ-ＲＳ、ＤＭ-ＲＳ、ＣＲＳ、ＰＲＳ、又はＳＲＳ）を用いることもできる。ＣＳＩ-ＲＳ、ＣＲＳ、ＤＭ-ＲＳ、ＰＲＳ、又はＳＲＳの系列生成法については、ＬＴＥ又はＬＴＥ-Ａに規定されている（３ＧＰＰ  ＴＳ  ３６．２１１  ５．５．３,６．１０）。ここでは、一例としてＣＳＩ-ＲＳ、ＤＭ-ＲＳの生成方法について説明する。
【００３８】
（１）下り参照信号に関する系列情報
下り参照信号であるＤＭ−ＲＳ（Demodulation-Reference  Signal）又はＣＳＩ−ＲＳ（Channel  State  Information-Reference  Signal）においては、スクランブル系列の擬似ランダム系列が以下のように定義されている。
【００３９】
ＤＭ−ＲＳ系列ｒ（ｍ）は下記式（１）により定義されている（Ｒｅｌ．１０）。この式（１）に含まれる擬似ランダム系列ｃ（ｉ）は、以下のように初期化される（Ｃinit）。この初期化擬似ランダム系列Ｃinitから分かるように、初期化擬似ランダム系列Ｃinit中にセルＩＤにより異なる項ＮIDcellが含まれている。なお、この擬似ランダム系列ｃ（ｉ）は、３１長ゴールド系列を用いて生成される。また、初期化擬似ランダム系列Ｃinit中には、スクランブリング識別情報（ＳＣＩＤ）が含まれている。このＳＣＩＤは、０，１（各サブフレームの初め）の値をとる。このように、ＤＭ−ＲＳ系列ｒ（ｍ）を生成する際に用いられる擬似ランダム系列は、セルＩＤで異なるように設定されている。
【数１】
2014030132.tif 000003
【００４０】
また、ＣＳＩ−ＲＳ系列ｒl,ns（ｍ）は下記式（２）により定義されている（Ｒｅｌ．１０）。この式（２）に含まれる擬似ランダム系列ｃ（ｉ）は、以下のように初期化される（Ｃinit）。この初期化擬似ランダム系列Ｃinitから分かるように、初期化擬似ランダム系列Ｃinit中にセルＩＤにより異なる項ＮIDcellが含まれている。このように、ＣＳＩ−ＲＳ系列ｒl,ns（ｍ）を生成する際に用いられる擬似ランダム系列も、セルＩＤで異なるように設定されている。
【数２】
2014030132.tif 000004
【００４１】
ローカル局２０は、上記擬似ランダム系列やそれに関連するパラメータ、例えば、スクランブリング識別情報（ＳＣＩＤ）やセルＩＤに関連するパラメータに基づいてＤＭ-ＲＳ又はＣＳＩ-ＲＳを生成する。そして、生成したＤＭ-ＲＳ又はＣＳＩ-ＲＳは測定用信号として送信される（ステップＳ２）。
【００４２】
マクロ局３０は、上記擬似ランダム系列やそれに関連するパラメータ、例えば、スクランブリング識別情報（ＳＣＩＤ）やセルＩＤに関連するパラメータを系列情報として移動端末装置１０にハイヤレイヤシグナリングにより通知する（ステップＳ３）。移動端末装置１０は、参照信号を受信するための信号系列等（例えば、ＣＳＩ-ＲＳのスクランブル系列）の制御情報に基づいて測定用信号を特定してＲＳＲＰ又はＣＱＩを測定する。
【００４３】
次に、本発明の第２の側面について詳細に説明する。
マクロ局３０は、移動端末装置１０に割り当てられるユーザ識別子（以下、ユーザＩＤという）又は移動端末装置１０のグループに固有に割り当てられるユーザグループＩＤを、バックホールリンクを介して、ローカル局２０へ通知する（ステップＳ１）。
【００４４】
ここで、ＬＴＥで規定されているユーザＩＤについて説明する。ユーザＩＤとして無線ネットワーク仮識別子（RNTI）が規定されている。RNTIは、UTRAN内でのUE識別子として使用され、そしてUEとUTRANの間でメッセージをシグナリングする際にも使用される。RNTIには、次の４つのタイプが存在する。1)サービングRNC RNTI (s-RNTI)、2)ドリフトRNC RNTI (d-RNTI)、3)セルRNTI (c-RNTI)、4)UTRAN RNTI (u-RNTI)。
【００４５】
例えば、c-RNTIは、１）ユーザ端末が自身を制御RNCに識別させるため、２）制御RNCがユーザ端末を区別するため、に用いられる。そして、c-RNTIは、ユーザ端末が新たなセルにアクセスしたときに制御RNCによって割り当てられる。c-RNTIはアクセスしたセル内で固有である必要がある。
【００４６】
本発明の第２の側面では、移動端末装置が新たなセルにアクセスしたときに割り当てられるユーザＩＤ（RNTI）と測定用信号のパラメータとを対応づけておき（紐づける）、ローカル局２０はユーザＩＤ（RNTI）と対応づけられているパラメータに基づいて測定用信号を生成するようにすることで、移動端末装置１０はユーザＩＤ（RNTI）から測定用信号のパラメータを推定できるようにしている。
【００４７】
ローカル局２０は、移動端末装置１０に割り当てられたユーザＩＤ（又はユーザグループＩＤ）に基づいて、測定用信号の信号系列を生成する。
【００４８】
例えば、測定用信号として同期信号（ＰＳＳ，ＳＳＳ）と同一の信号を用いる場合、同期信号の信号系列をユーザＩＤ（又はユーザグループＩＤ）とを予め対応づけておく。ローカル局２０は、ユーザＩＤ（又はユーザグループＩＤ）に対応した信号系列に基づいて生成した同期信号を測定用信号として下りリンクで送信する（ステップＳ２）。移動端末装置１０は、マクロセルにアクセスした際にユーザＩＤ（又はユーザグループＩＤ）がマクロ局３０から通知されている。移動端末装置１０は、同期信号（ＰＳＳ，ＳＳＳ）が測定用信号として用いられた場合、ローカル局２０から送信された測定用信号（同期信号）を、ユーザＩＤ（又はユーザグループＩＤ）から測定用信号（同期信号）の系列情報を認識し、系列情報に基づいて測定用信号のＲＳＲＰ又はＣＱＩを測定する。
【００４９】
また、測定用信号として、同期信号（ＰＳＳ，ＳＳＳ）と同一又は異なる信号系列であって、時間／周波数方向に異なる位置に多重した信号を用いる場合、同期信号の信号系列及び時間／周波数方向の多重位置情報とユーザＩＤ（又はユーザグループＩＤ）とが予め紐づけられる。又は、ＰＳＳ，ＳＳＳの多重位置とユーザＩＤ（又はユーザグループＩＤ）とを紐づけておいてもよい。ローカル局２０は、ユーザＩＤ（又はユーザグループＩＤ）に対応した信号系列及び多重位置情報に基づいて生成した測定用信号を下りリンクで送信する（ステップＳ２）。移動端末装置１０は、同期信号（ＰＳＳ，ＳＳＳ）の本来の多重位置と異なる位置に多重された同期信号（ＰＳＳ，ＳＳＳ）が測定用信号として用いられた場合、ローカル局２０から送信された測定用信号（同期信号）を、ユーザＩＤ（又はユーザグループＩＤ）に基づいて系列情報及び多重位置（スロット番号）を認識し、認識した系列情報及び多重位置（スロット番号）に基づいて測定用信号のＲＳＲＰ又はＣＱＩを測定する。
【００５０】
また、測定用信号として、スモールセル用のDISCOVERY  SIGNALを用いる場合、DISCOVERY  SIGNALの無線リソース、信号系列、キャリア周波数、帯域幅等のパラメータが送信用制御情報としてバックホールリンクを介してローカル局２０へ通知される（ステップＳ１）。DISCOVERY  SIGNALは、同期信号（ＰＳＳ，ＳＳＳ）と同一又は異なる信号系列をベースにして、送信周期が同期信号よりも長くなるように設定され、送信単位当たりの無線リソース量が同期信号よりも大きくなるように設定されることとする。これらのパラメータは送信用制御情報に含まれる。一方で、DISCOVERY  SIGNALの無線リソース、信号系列、キャリア周波数、帯域幅等のパラメータがユーザＩＤ（又はユーザグループＩＤ）と紐づけられる。
【００５１】
ローカル局２０は、送信用制御情報に基づいてDISCOVERY  SIGNALを測定用信号として生成する。例えば、ローカル局２０は、同期信号（ＰＳＳ，ＳＳＳ）と同一又は異なる信号系列を生成し、送信周期が同期信号よりも長く、送信単位当たりの無線リソース量が同期信号よりも大きいDISCOVERY  SIGNALを生成する。ローカル局２０は、生成したDISCOVERY  SIGNALを送信周期に従って下りリンクで送信する（ステップＳ２）。
【００５２】
移動端末装置１０は、ユーザＩＤ（又はユーザグループＩＤ）に紐づけられたDISCOVERY  SIGNALのパラメータ（無線リソース、信号系列、キャリア周波数、帯域幅、送信周期等）を認識し、認識したパラメータに基づいてDISCOVERY  SIGNALを特定してＲＳＲＰ又はＣＱＩを測定する。
【００５３】
また、測定用信号として、ＬＴＥ又はＬＴＥ-Ａで既に規定されている参照信号（ＣＳＩ-ＲＳ、ＣＲＳ、ＤＭ-ＲＳ、ＰＲＳ、又はＳＲＳ）を用いる。例えば、測定用信号として下り参照信号であるＤＭ−ＲＳ又はＣＳＩ−ＲＳを用いる場合を考える。上記した通り、ＤＭ−ＲＳ系列ｒ（ｍ）を生成する際に用いられる擬似ランダム系列、及びＣＳＩ−ＲＳ系列ｒl,ns（ｍ）を生成する際に用いられる擬似ランダム系列は、セルＩＤで異なるように設定されている。
【００５４】
本発明の第２の側面では、ＤＭ−ＲＳ系列ｒ（ｍ）、又はＣＳＩ−ＲＳ系列ｒl,ns（ｍ）を生成する際に用いられる擬似ランダム系列が、セルＩＤに紐づけられるのではなく、ユーザＩＤ（又はユーザグループＩＤ）に紐づけられている。ＣＲＳ、ＰＲＳについても、擬似ランダム系列Ｃinit中にセルＩＤにより異なる項ＮIDcellが含まれているが、セルＩＤの代わりに、ユーザＩＤ（又はユーザグループＩＤ）で異なるように設定される。
【００５５】
また、ＬＴＥ−Ａ（Release  10）システムにおいて、各ローカル局２０は、マクロ局３０から送信される参照信号の周波数リソースに対して周波数領域で所定量シフトされた周波数リソースを用いてＣＲＳを送信する。つまり、各ローカル局２０から送信されるＣＲＳは、マクロ局３０のＣＲＳに対して周波数方向にシフトされている。このシフト量Ｖｓｈｉｆｔは、固有のセルＩＤに基づいて決定される（Ｖｓｈｉｆｔ＝（ｃｅｌｌ  ＩＤ  ｍｏｄ  ６））。
【００５６】
本発明の第２の側面では、ＣＲＳのシフト量Ｖｓｈｉｆｔは、セル固有のセルＩＤに紐づけられるのではなく、ユーザＩＤ（又はユーザグループＩＤ）に紐づけられている。
【００５７】
なお、ＣＲＳは、ＰＤＳＣＨ（Physical  Downlink  Shard  Channel）を送信するセルにおいて、すべての下り信号のサブフレームで送信される。また、ＣＲＳは、一つ又は複数のアンテナポートから送信される。このため、基地局は、セル固有参照信号情報（パラメータ）として、ＣＲＳのアンテナポート数もユーザ端末ＵＥに通知する必要がある。さらに、基地局は、ＣＲＳが存在しているサブフレームか否かの情報（例えば、ＭＢＳＦＮ  configuration）をセル固有参照信号情報（パラメータ）としてユーザ端末ＵＥに通知する必要がある。このように、ＣＲＳのパラメータには、シフト量Ｖｓｈｉｆｔ、アンテナポート数、サブフレームか否かの情報が含まれる。
【００５８】
ローカル局２０は、測定用信号としてＤＭ-ＲＳまたはＣＳＩ-ＲＳを用いる場合、ユーザＩＤ（又はユーザグループＩＤ）に基づいて、ＤＭ−ＲＳ系列ｒ（ｍ）、ＣＳＩ−ＲＳ系列ｒl,ns（ｍ）における擬似ランダム系列を生成し、生成した擬似ランダム系列を含んでいるＤＭ−ＲＳ系列ｒ（ｍ）、ＣＳＩ−ＲＳ系列ｒl,ns（ｍ）を測定用信号として生成する。
【００５９】
また、ローカル局２０は測定用信号としてＣＲＳを用いる場合、ユーザＩＤ（又はユーザグループＩＤ）に基づいて、シフト量Ｖｓｈｉｆｔを決定し、決定したシフト量Ｖｓｈｉｆｔを適用してＣＲＳを生成する。
【００６０】
移動端末装置１０は、ＤＭ−ＲＳ系列ｒ（ｍ）、又はＣＳＩ−ＲＳ系列ｒl,ns（ｍ）が測定用信号として送信される場合、ＤＭ−ＲＳ系列ｒ（ｍ）又はＣＳＩ−ＲＳ系列ｒl,ns（ｍ）の擬似ランダム系列をユーザＩＤ（又はユーザグループＩＤ）に基づいて特定し、特定した擬似ランダム系列に基づいて、ＤＭ−ＲＳ系列ｒ（ｍ）またはＣＳＩ−ＲＳ系列ｒl,ns（ｍ）で構成される測定用信号のＲＳＲＰまたはＣＱＩを測定する。
【００６１】
また、移動端末装置１０は、ＣＲＳが測定用信号として送信される場合、ユーザＩＤ（又はユーザグループＩＤ）に基づいてＣＲＳの多重位置を特定し、特定した多重位置に基づいてＣＲＳで構成される測定用信号のＲＳＲＰまたはＣＱＩを測定する。
【００６２】
次に、本発明の第３の側面について詳細に説明する。
ローカル局２０は、ＲＳＲＰ等を測定するための測定用信号としてスモールセル用の同期チャネルを使用し、ＣＱＩ等を測定するための測定用信号としてスモールセル用の同期チャネルのパラメータによって定まる系列に基づいて生成される信号を使用する。
【００６３】
具体的には、スモールセル用の同期チャネルとしてスモールセル固有のDISCOVERY  SIGNALを用いることができ、ＣＱＩ等を測定するための測定用信号としてＣＳＩ-ＲＳを用いることができる。スモールセル固有のDISCOVERY  SIGNALは、無線リソース、信号系列、キャリア周波数、帯域幅等のパラメータによって規定される。DISCOVERY  SIGNALのパラメータ（無線リソース、信号系列等）によって定まる系列によってＣＳＩ−ＲＳをスクランブルする。ローカル局２０は、このようにして生成した２種類の測定用信号をそれぞれ所定のタイミングで送信する。
【００６４】
移動端末装置１０は、最初にスモールセル固有のDISCOVERY  SIGNALを受信してＲＳＲＰ等を測定する。このため、移動端末装置１０は、スモールセル固有のDISCOVERY  SIGNALを受信するためにDISCOVERY  SIGNALのパラメータ（無線リソース、信号系列、キャリア周波数、帯域幅等）を取得する。例えば、マクロ局３０からハイヤレイヤシグナリングによってDISCOVERY  SIGNALのパラメータを移動端末装置１０へ通知する。移動端末装置１０は、DISCOVERY  SIGNALのパラメータに基づいてDISCOVERY  SIGNALのＲＳＲＰ等を測定する。
【００６５】
次に、ローカル局２０は、DISCOVERY  SIGNALのパラメータ（例えば、信号系列）によって定まる系列によってＣＳＩ−ＲＳをスクランブルする。スクランブルされたＣＳＩ−ＲＳからなる測定用信号はＣＱＩ等を測定するために用いられる。
【００６６】
移動端末装置１０は、先にDISCOVERY  SIGNALの測定時に取得したDISCOVERY  SIGNALのパラメータ（例えば、信号系列）に基づいて、ＣＱＩを測定するＣＳＩ−ＲＳの信号系列を特定する。すなわち、ＣＱＩを測定する測定用信号のパラメータについては基地局から通知されることなく認識することができ、シグナリングを低減できる。なお、ＣＳＩ−ＲＳ以外の参照信号（ＤＭ-ＲＳ等）についても、同様に適用可能である。
【００６７】
ここで、本実施の形態に係る無線通信システムについて詳細に説明する。
図４は、本実施の形態に係る無線通信システムのシステム構成の説明図である。なお、図４に示す無線通信システムは、例えば、ＬＴＥシステム或いは、ＳＵＰＥＲ  ３Ｇが包含されるシステムである。この無線通信システムでは、ＬＴＥシステムのシステム帯域を１単位とする複数の基本周波数ブロックを一体としたキャリアアグリゲーションに対応している。また、この無線通信システムは、ＩＭＴ−Ａｄｖａｎｃｅｄと呼ばれても良いし、４Ｇ、ＦＲＡ（Future  Radio  Access）と呼ばれても良い。
【００６８】
図４に示すように、無線通信システム１は、マクロセルＣ１をカバーするマクロ局３０と、マクロセルＣ１内に設けた複数のスモールセルＣ２をカバーする複数のローカル局２０とを備えている。また、マクロセルＣ１及び各スモールセルＣ２には、多数の移動端末装置１０が配置されている。移動端末装置１０は、マクロセル用及びスモールセル用の無線通信方式に対応しており、マクロ局３０及びローカル局２０と無線通信可能に構成されている。
【００６９】
移動端末装置１０とマクロ局３０との間は、マクロセル用周波数（例えば、低周波数帯）を用いて通信される。移動端末装置１０とローカル局２０との間は、スモールセル用周波数（例えば、高周波数帯）を用いて通信される。また、マクロ局３０及び各ローカル局２０は、有線接続又は無線接続されている。
【００７０】
マクロ局３０及び各ローカル局２０は、それぞれ図示しない上位局装置に接続され、上位局装置を介してコアネットワーク５０に接続される。なお、上位局装置には、例えば、アクセスゲートウェイ装置、無線ネットワークコントローラ（ＲＮＣ）、モビリティマネジメントエンティティ（ＭＭＥ）等が含まれるが、これに限定されるものではない。また、ローカル局２０は、マクロ局３０を介して上位局装置に接続されてもよい。
【００７１】
なお、各移動端末装置１０は、ＬＴＥ端末及びＬＴＥ−Ａ端末を含むが、以下においては、特段の断りがない限り移動端末装置として説明を進める。また、説明の便宜上、マクロ局３０及びローカル局２０と無線通信するのは移動端末装置であるものとして説明するが、より一般的には移動端末装置も固定端末装置も含むユーザ装置（UE：User  Equipment）でよい。また、ローカル局２０及びマクロ局３０は、マクロセル用及びスモールセル用の送信ポイントと呼ばれてもよい。なお、ローカル局２０は、光張り出し基地局装置であってもよい。
【００７２】
無線通信システムにおいては、無線アクセス方式として、下りリンクについてはＯＦＤＭＡ（直交周波数分割多元接続）が適用され、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００７３】
ここで、ＬＴＥシステムにおける通信チャネルについて説明する。下りリンクの通信チャネルは、各移動端末装置１０で共有されるＰＤＳＣＨ（Physical  Downlink  Shared  Channel）と、下りＬ１／Ｌ２制御チャネル（PDCCH、PCFICH、PHICH）とを有する。ＰＤＳＣＨにより、ユーザデータ及び上位制御情報が伝送される。ＰＤＣＣＨ（Physical  Downlink  Control  Channel）により、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid-ARQ  Indicator  Channel）により、ＰＵＳＣＨに対するＨＡＲＱのＡＣＫ/ＮＡＣＫが伝送される。
【００７４】
上りリンクの通信チャネルは、各移動端末装置１０で共有される上りデータチャネルとしてのＰＵＳＣＨ（Physical  Uplink  Shared  Channel）と、上りリンクの制御チャネルであるＰＵＣＣＨ（Physical  Uplink  Control  Channel）とを有する。このＰＵＳＣＨにより、ユーザデータや上位制御情報が伝送される。また、ＰＵＣＣＨにより、下りリンクの無線品質情報（CQI：Channel  Quality  Indicator）、ＡＣＫ/ＮＡＣＫ等が伝送される。
【００７５】
図５を参照して、マクロ局３０の全体構成について説明する。マクロ局３０は、送信系の処理部として、制御情報生成部２０１、下り信号生成部２０２、下り信号多重部２０３、ベースバンド送信信号処理部２０４、送信ＲＦ回路２０５を備えている。
【００７６】
制御情報生成部２０１は、ローカル局２０が測定用信号を送信するための制御情報である送信用制御情報、移動端末装置１０が測定用信号を特定して測定するための測定用制御情、ｅＰＤＣＣＨ受信用の制御情報を生成する。制御情報生成部２０１は、送信用制御情報を伝送路インターフェース２１１に出力し、ｅＰＤＣＣＨ受信用の制御情報を下り信号多重部２０３に出力する。送信用制御情報は、伝送路インターフェース２１１を介してローカル局２０に送信される。一方、測定用制御情報、ｅＰＤＣＣＨ受信用の制御情報は、下り信号多重部２０３を介して移動端末装置１０に送信される。なお、測定用信号のパラメータである測定用制御情報をハイヤレイヤシグナリングによって移動端末装置１０へ通知する場合は、測定用制御情報が下り信号多重部２０３へ与えられるが、本発明の第２の側面又は第３の側面のように測定用制御情報をハイヤレイヤシグナリングしない場合は、この限りでない。
【００７７】
下り信号生成部２０２は、下りデータ信号及び下り参照信号を生成する。下り信号多重部２０３は、マクロセル制御情報と、マクロセルの下りリンク信号として下りデータ信号と、下り参照信号とを多重する。移動端末装置１０に対するマクロセルの下りリンク信号は、ベースバンド送信信号処理部２０４に入力され、デジタル信号処理が施される。例えば、ＯＦＤＭ方式の下り信号の場合には、逆高速フーリエ変換（IFFT:  Inverse  Fast  Fourier  Transform）により周波数領域の信号から時系列の信号に変換され、サイクリックプレフィックスが挿入される。そして、下りリンク信号は、送信ＲＦ回路２０５を通り、送信系と受信系との間に設けたデュプレクサ２０６を介して送受信アンテナ２０７から送信される。
【００７８】
また、マクロ局３０は、受信系の処理部として、受信ＲＦ回路２０８、ベースバンド受信信号処理部２０９、上り信号復調・復号部２１０、測定結果受信部２１２、ローカル局決定部２１３、初期送信電力決定部２１４を備えている。
【００７９】
移動端末装置１０からの上りリンク信号は、送受信アンテナ２０７で受信され、デュプレクサ２０６及び受信ＲＦ回路２０８を介してベースバンド受信信号処理部２０９に入力される。ベースバンド受信信号処理部２０９では上り信号にデジタル信号処理が施される。例えば、ＯＦＤＭ方式の上り信号の場合には、サイクリックプレフィックスが除去され、高速フーリエ変換（FFT:  Fast  Fourier  Transform）により時間系列の信号から周波数領域の信号に変換される。上りデータ信号は、上り信号復調・復号部２１０に入力され、上り信号復調・復号部２１０において復号（デスクランブル）及び復調される。上り信号復調・復号部２１０は、移動端末装置１０がマクロセルの上りリンク信号として送信した、測定用信号のMEASUREMENTレポート、ＣＳＩ情報を復号してローカル局決定部２１３へ出力する。
【００８０】
測定結果受信部２１２は、ローカル局２０から転送されたMEASUREMENTレポート、各ローカル局へフィードバックされたＣＳＩ情報を、伝送路インターフェース２１１を介して受信する。測定結果受信部２１２は、測定用信号のMEASUREMENTレポート及びユーザＩＤ、ＣＳＩ情報をローカル局決定部２１３に出力する。なお、MEASUREMENTレポートをローカル局からマクロ局３０へ転送しない場合、測定結果受信部２１２の機能は削除できる。
【００８１】
ローカル局決定部２１３は、測定用信号（例えば、スモールセルのDISCOVERY  SIGNAL）のMEASUREMENTレポートに示される各ローカル局２０の受信信号電力などを指標にして、ＣＳＩ情報をフィードバックするローカル局を選択する。すなわち、移動端末装置１０においてＣＳＩ情報を取得する対象となるローカル局を選択する。また、ローカル局決定部２１３は、その後にフィードバックされたＣＳＩ情報に基づいて、移動端末装置１０との間でデータチャネル、制御チャネル送信するローカル局２０を決定する。ＣＳＩ情報を取得する対象となるローカル局情報と、データチャネル（制御チャネル）送信するローカル局２０として決定したローカル局に関するローカル局情報とは、制御情報生成部２０１へ出力される。制御情報生成部２０１は、ローカル局情報を含んだRRC  CONNECTION  RECONFIGURATION情報を生成する。
【００８２】
初期送信電力決定部２１４は、DISCOVERY  SIGNALの測定結果（受信信号電力）に基づいて、ローカル局２０に対する初期送信電力（ｅＰＤＣＣＨ／ＰＤＳＣＨ）を決定する。初期送信電力決定部２１４は、伝送路インターフェース２１１を介して初期送信電力の指示情報を、移動端末装置１０の接続先となるローカル局２０に送信する。
【００８３】
図６を参照して、ローカル局２０の全体構成について説明する。なお、ローカル局２０は、移動端末装置１０の近傍エリアに配置されているものとする。ローカル局２０は、初期送信電力設定部３０１及び制御情報受信部３０２を備えている。また、ローカル局２０は、送信系の処理部として、下り信号生成部３０３、測定用信号生成部３０４、下り信号多重部３０５、ベースバンド送信信号処理部３０６、送信ＲＦ回路３０７を備えている。
【００８４】
初期送信電力設定部３０１は、伝送路インターフェース３１４を介してマクロ局３０から初期送信電力の指示情報を受信する。初期送信電力設定部３０１は、初期送信電力の指示情報に基づいて、下りデータ信号（ＰＤＳＣＨ）、下り制御信号（ｅＰＤＣＣＨ）の初期送信電力を設定する。
【００８５】
制御情報受信部３０２は、伝送路インターフェース３１４を介して、マクロ局３０から測定用信号の送信用制御情報を受信する。例えば、測定用信号としてＰＳＳ，ＳＳＳと同一の信号が用いられる場合、ＰＳＳ，ＳＳＳの系列情報が送信用制御情報として用いられる。また、測定用信号としてＰＳＳ，ＳＳＳと同一又は異なる信号系列であって、時間／周波数方向に異なる位置で多重した信号を用いる場合、ＰＳＳ，ＳＳＳの信号系列と時間／周波数方向の多重位置情報とが送信用制御情報として用いられる。また、測定用信号としてスモールセル用のDISCOVERY  SIGNALを用いる場合、DISCOVERY  SIGNALの無線リソース、信号系列、キャリア周波数、帯域幅等のパラメータが送信用制御情報として用いられる。また、測定用信号としてＤＭ-ＲＳ又はＣＳＩ-ＲＳを用いる場合、ＤＭ-ＲＳ又はＣＳＩ-ＲＳの擬似ランダム系列やそれに関連するパラメータ、例えば、スクランブリング識別情報（ＳＣＩＤ）やセルＩＤ（又は測定用信号のパラメータがユーザＩＤ（又はユーザグルーＩＤ）と対応付けられている場合はユーザＩＤ）に関連するパラメータが送信用制御情報として用いられる。また、測定用信号がスモールセル用の同期チャネルに基づいて系列生成される場合は、例えばスモールセル固有のDISCOVERY  SIGNALの無線リソース、信号系列、キャリア周波数、帯域幅等のパラメータが送信用制御情報として用いられる。制御情報受信部３０２は、送信用制御情報を測定用信号生成部３０４に出力する。
【００８６】
測定用信号生成部３０４は、測定用制御情報（測定用信号のパラメータ）が移動端末装置１０へハイヤレイヤシグナリングされる場合は、上記制御情報受信部３０２から与えられる送信用制御情報に基づいて測定用信号を生成する。
【００８７】
また、測定用信号生成部３０４は、測定用信号のパラメータがユーザＩＤ（又はユーザグルーＩＤ）と対応付けられている場合は、次のようにして測定用信号を生成する。測定用信号としてＰＳＳ，ＳＳＳと同一の信号が用いられる場合、移動端末装置１０に割り振られたユーザＩＤ（又はユーザグルーＩＤ）に基づいてＰＳＳ，ＳＳＳの信号系列を生成する。また、測定用信号としてＰＳＳ，ＳＳＳと同一又は異なる信号系列であって、時間／周波数方向に異なる位置で多重した信号を用いる場合、ユーザＩＤ（又はユーザグルーＩＤ）に基づいてＰＳＳ，ＳＳＳの信号系列を生成するとともに多重位置を制御する。また、測定用信号としてスモールセル用のDISCOVERY  SIGNALを用いる場合、ユーザＩＤ（又はユーザグルーＩＤ）に対応づけられたDISCOVERY  SIGNALのパラメータ（無線リソース、信号系列、キャリア周波数、帯域幅の少なくとも１つ）に基づいてDISCOVERY  SIGNALを生成する。また、測定用信号としてＤＭ-ＲＳ又はＣＳＩ-ＲＳを用いる場合、ユーザＩＤ（又はユーザグルーＩＤ）に対応づけられたＤＭ-ＲＳ又はＣＳＩ-ＲＳのパラメータ（擬似ランダム系列、それに関連するパラメータ）に基づいてＤＭ-ＲＳ又はＣＳＩ-ＲＳを生成する。
【００８８】
また、測定用信号生成部３０４は、測定用信号がスモールセル用の同期チャネルに基づいて系列生成される場合は、次のようにして測定用信号を生成する。ＲＳＲＰ等を測定するための測定用信号としてスモールセル用の同期チャネルを生成し、ＣＱＩ等を測定するための測定用信号としてスモールセル用の同期チャネルのパラメータによって定まる系列に基づいて測定用信号を生成する。この場合、スモールセル固有のDISCOVERY  SIGNALは、無線リソース、信号系列、キャリア周波数、帯域幅等のパラメータが測定用制御信号として制御情報受信部３０２から測定用信号生成部３０４へ与えられる。測定用信号生成部３０４は、無線リソース、信号系列、キャリア周波数、帯域幅等のパラメータに基づいてDISCOVERY  SIGNALを生成する。その後、チャネル推定のための測定用信号を生成する場合は、先に生成したDISCOVERY  SIGNALのパラメータ（無線リソース、信号系列等）によって定まる系列によってＣＳＩ−ＲＳをスクランブルする。このＣＳＩ-ＲＳが測定用信号として出力される。
【００８９】
下り信号生成部３０３は、下りデータ信号（ＰＤＳＣＨ）、下り参照信号、下り制御信号（ｅＰＤＣＣＨ）を生成する。下り信号生成部３０３は、初期送信電力設定部３０１によって、下りデータ信号及び下り制御信号の初期送信電力が設定される。
【００９０】
下り信号多重部３０５は、測定用信号、下り送信データ、下り参照信号、下り制御信号を多重する。測定用制御情報がある場合は、これらの信号をスモールセルの下りリンク信号に多重する。移動端末装置１０に対する下りリンク信号は、ベースバンド送信信号処理部３０６に入力され、デジタル信号処理が施される。例えば、ＯＦＤＭ方式の下り信号の場合には、逆高速フーリエ変換（IFFT:  Inverse  Fast  Fourier  Transform）により周波数領域の信号から時系列の信号に変換され、サイクリックプレフィックスが挿入される。そして、下りリンク信号は、送信ＲＦ回路３０７を通り、送信系と受信系との間に設けた切替スイッチ３０８を介して送受信アンテナ３０９から送信される。なお、切替スイッチ３０８の代わりにデュプレクサを設けてもよい。
【００９１】
ローカル局２０は、受信系の処理部として、受信ＲＦ回路３１０、ベースバンド受信信号処理部３１１、上り信号復調・復号部３１２、転送部３１３を備えている。
【００９２】
移動端末装置１０からのスモールセルの上りリンク信号は、スモールセル用の送受信アンテナ３０９で受信され、切替スイッチ３０８及び受信ＲＦ回路３１０を介してベースバンド受信信号処理部３１１に入力される。ベースバンド受信信号処理部３１１では上り信号にデジタル信号処理が施される。例えば、ＯＦＤＭ方式の上り信号の場合には、サイクリックプレフィックスが除去され、高速フーリエ変換（FFT:  Fast  Fourier  Transform）により時間系列の信号から周波数領域の信号に変換される。上りデータ信号は、上り信号復調・復号部３１２に入力され、上り信号復調・復号部３１２において復号（デスクランブル）及び復調される。移動端末装置１０がローカル局２０へMEASUREMENTレポートを通知する場合は、上りリンク信号からDISCOVERY  SIGNALのMEASUREMENTレポートが復号される。また、移動端末装置１０がローカル局２０へＣＳＩ情報をフィードバックする場合は、上りリンク信号からＣＳＩ情報が復号される。
【００９３】
転送部３１３は、上りリンク信号から復号されたMEASUREMENTレポート、ＣＳＩ情報を、伝送路インターフェース３１４を介してマクロ局３０に転送する。なお、ローカル局２０がMEASUREMENTレポートに基づいてＣＳＩ情報をフィードバックするローカル局を自ら判断する場合は転送しない。同様に、ローカル局２０がＣＳＩ情報に基づいてデータチャネル、制御チャネル送信するローカル局を自ら判断する場合もＣＳＩ情報の転送は行わない。
【００９４】
そして、マクロ局３０によってデータチャネル、制御チャネル送信するローカル局として決定された場合、伝送路インターフェース３１４を介して移動端末装置１０との間でデータチャネル、制御チャネル送信する指示が通知される。
【００９５】
図７を参照して、移動端末装置１０の全体構成について説明する。移動端末装置１０は、送信系の処理部として、フォーマット選択部１０１、上り信号生成部１０２、上り信号多重部１０３、ベースバンド送信信号処理部１０４、１０５、送信ＲＦ回路１０６、１０７を備えている。
【００９６】
フォーマット選択部１０１は、マクロセル用の送信フォーマットとスモールセル用の送信フォーマットを選択する。上り信号生成部１０２は、上りデータ信号及び参照信号を生成する。上り信号生成部１０２は、マクロセル用の送信フォーマットの場合、マクロ局３０に対する上りデータ信号及び参照信号を生成する。また、上り信号生成部１０２は、スモールセル用の送信フォーマットの場合、ローカル局２０に対する上りデータ信号及び参照信号を生成する。
【００９７】
上り信号多重部１０３は、上りリンク信号として上り送信データと、上り参照信号とを多重する。また、上り信号多重部１０３は、上りリンク信号としてMEASUREMENTレポート、特定のローカル局について取得したＣＳＩ情報を多重する。例えば、測定用信号の測定結果に対応したMEASUREMENTレポート、ＣＳＩ情報の通知先がマクロ局３０の場合は、これらの上りリンク信号はベースバンド送信信号処理部１０４に入力される。マクロ局３０に対する上り信号は、ベースバンド送信信号処理部１０４に入力され、デジタル信号処理が施される。例えば、ＯＦＤＭ方式の上り信号の場合には、逆高速フーリエ変換（IFFT:  Inverse  Fast  Fourier  Transform）により周波数領域の信号から時系列の信号に変換され、サイクリックプレフィックスが挿入される。そして、上り信号は、送信ＲＦ回路１０６を通り、送信系と受信系との間に設けたデュプレクサ１０８を介してマクロセル用の送受信アンテナ１１０から送信される。マクロセル用の送受信系では、デュプレクサ１０８によって同時送受信が可能となっている。
【００９８】
測定用信号の測定結果に対応したMEASUREMENTレポート、ＣＳＩ情報の通知先がローカル局２０の場合は、これらの上りリンク信号はベースバンド送信信号処理部１０５に入力される。ローカル局２０に対する上り信号は、ベースバンド送信信号処理部１０５に入力され、デジタル信号処理が施される。例えば、ＯＦＤＭ方式の上り信号の場合には、逆高速フーリエ変換（IFFT:  Inverse  Fast  Fourier  Transform）により周波数領域の信号から時系列の信号に変換され、サイクリックプレフィックスが挿入される。そして、上り信号は、送信ＲＦ回路１０７を通り、送信系と受信系との間に設けた切替スイッチ１０９を介してマクロセル用の送受信アンテナ１１１から送信される。スモールセル用の送受信系では、切替スイッチ１０９によって送受信が切替られている。
【００９９】
なお、本実施の形態では、マクロセル用の送受信系にデュプレクサ１０８を設け、スモールセル用の送受信系に切替スイッチ１０９を設ける構成としたが、この構成に限定されない。マクロセル用の送受信系に切替スイッチ１０９を設けてもよいし、スモールセル用の送受信系にデュプレクサ１０８を設けてもよい。また、マクロセル用及びスモールセル用の上り信号は、送受信アンテナ１１０、１１１から同時に送信されてもよいし、送受信アンテナ１１０、１１１を切り替えて別々に送信されてもよい。
【０１００】
また、移動端末装置１０は、受信系の処理部として、受信ＲＦ回路１１２、１１３、ベースバンド受信信号処理部１１４、１１５、制御情報受信部１１６、測定部１１７、下り信号復調・復号部１１９、１２０を備えている。
【０１０１】
マクロ局３０からの下り信号は、マクロセル用の送受信アンテナ１１０で受信される。この下り信号は、デュプレクサ１０８及び受信ＲＦ回路１１２を介してベースバンド受信信号処理部１１４に入力され、デジタル信号処理が施される。例えば、ＯＦＤＭ方式の下り信号の場合には、サイクリックプレフィックスが除去され、高速フーリエ変換（FFT:  Fast  Fourier  Transform）により時間系列の信号から周波数領域の信号に変換される。
【０１０２】
制御情報受信部１１６は、マクロセルの下り信号から各種の制御情報を受信する。マクロ局３０が測定用信号のパラメータをハイヤレイヤシグナリングで通知する場合、測定用信号のパラメータが測定用制御情報として検出される。例えば、測定用信号としてＰＳＳ，ＳＳＳと同一の信号を用いる場合、ＰＳＳ，ＳＳＳの信号系列が測定用制御情報として検出される。また、測定用信号としてＰＳＳ，ＳＳＳと同一又は異なる信号系列であって、時間／周波数方向に異なる位置で多重した信号を用いる場合、ＰＳＳ，ＳＳＳの信号系列と時間／周波数方向の多重位置情報が測定用制御情報として検出される。また、測定用信号としてスモールセル用のDISCOVERY  SIGNALを用いる場合、DISCOVERY  SIGNALの無線リソース、信号系列、キャリア周波数、帯域幅等のパラメータが測定用制御情報として検出される。また、測定用信号としてＤＭ-ＲＳ又はＣＳＩ-ＲＳを用いる場合、ＤＭ-ＲＳ又はＣＳＩ-ＲＳの擬似ランダム系列やそれに関連するパラメータ、例えば、スクランブリング識別情報（ＳＣＩＤ）やセルＩＤに関連するパラメータが測定用制御情報として検出される。
【０１０３】
また、制御情報受信部１１６は、スモールセル用の同期チャネルとしてスモールセル固有のDISCOVERY  SIGNALを用いる場合、DISCOVERY  SIGNALは、無線リソース、信号系列、キャリア周波数、帯域幅等のパラメータが測定用制御情報として検出される。制御情報受信部１１６は、測定用制御情報を測定部１１７に出力する。マクロセルの下りデータ信号は、下り信号復調・復号部１１９に入力され、下り信号復調・復号部１１９において復号（デスクランブル）及び復調される。
【０１０４】
ローカル局２０からの下り信号は、スモールセル用の送受信アンテナ１１１で受信される。この下り信号は、切替スイッチ１０９及び受信ＲＦ回路１１３介してベースバンド受信信号処理部１１５に入力され、デジタル信号処理が施される。例えば、ＯＦＤＭ方式の下り信号の場合には、サイクリックプレフィックスが除去され、高速フーリエ変換（FFT:  Fast  Fourier  Transform）により時間系列の信号から周波数領域の信号に変換される。
【０１０５】
測定部１１７は、制御情報受信部１１６から入力された測定用制御情報に基づいて、ローカル局２０からの測定用信号についてＲＳＲＰ、ＣＱＩ等の測定を行う。測定部１１７は、各ローカル局２０の測定用信号についてＲＳＲＰ、ＲＳＲＱ又はＲＳＳＩをMEASUREMENTの対象にすることができる。また、測定部１１７は、各ローカル局２０の測定用信号についてＣＱＩ、ＰＭＩ，ＲＩをMEASUREMENTの対象にすることができる。
【０１０６】
例えば、測定用制御情報がハイヤレイヤシグナリングによって通知される場合は、次のようにして測定用信号の信号系列、無線リソースを特定して測定を行う。測定用信号としてＰＳＳ，ＳＳＳと同一の信号が用いられる場合、測定部１１７は、測定用制御情報として検出されたＰＳＳ，ＳＳＳの信号系列に基づいて測定用信号を特定してＲＳＲＰ等又はＣＱＩ等を測定する。また、測定用信号としてＰＳＳ，ＳＳＳと同一又は異なる信号系列であって、時間／周波数方向に異なる位置で多重した信号を用いる場合、測定部１１７は、測定用制御情報として検出されたＰＳＳ，ＳＳＳの信号系列と時間／周波数方向の多重位置情報とに基づいて測定用信号を特定してＲＳＲＰ等又はＣＱＩ等を測定する。また、測定用信号としてスモールセル用のDISCOVERY  SIGNALを用いる場合、測定部１１７は、測定用制御情報として検出されたDISCOVERY  SIGNALの無線リソース、信号系列、キャリア周波数、帯域幅等のパラメータに基づいてDISCOVERY  SIGNALを特定してＲＳＲＰ等又はＣＱＩ等を測定する。また、測定用信号としてＤＭ-ＲＳ又はＣＳＩ-ＲＳを用いる場合、測定部１１７は、測定用制御情報として検出されたＤＭ-ＲＳ又はＣＳＩ-ＲＳの擬似ランダム系列やそれに関連するパラメータ、例えば、スクランブリング識別情報（ＳＣＩＤ）やセルＩＤに関連するパラメータに基づいてＤＭ-ＲＳ又はＣＳＩ-ＲＳを特定してＲＳＲＰ等又はＣＱＩ等を測定する。
【０１０７】
また、測定用信号のパラメータがユーザＩＤ（又はユーザグルーＩＤ）と対応付けられている場合は、次のようにして測定用信号の信号系列、無線リソースを特定して測定を行う。測定用信号としてＰＳＳ，ＳＳＳと同一の信号が用いられる場合、測定部１１７は、当該移動端末装置１０に割り振られたユーザＩＤ（又はユーザグルーＩＤ）に基づいてＰＳＳ，ＳＳＳの信号系列を特定し、特定した信号系列に基づいてＰＳＳ，ＳＳＳのＲＳＲＰ等又はＣＱＩ等を測定する。また、測定用信号としてＰＳＳ，ＳＳＳと同一又は異なる信号系列であって、時間／周波数方向に異なる位置で多重した信号を用いる場合、測定部１１７は、ユーザＩＤ（又はユーザグルーＩＤ）に基づいてＰＳＳ，ＳＳＳの信号系列及び多重位置を特定し、特定した信号系列及び多重位置に基づいて測定用信号のＲＳＲＰ等又はＣＱＩ等を測定する。また、測定用信号としてスモールセル用のDISCOVERY  SIGNALを用いる場合、測定部１１７は、ユーザＩＤ（又はユーザグルーＩＤ）に基づいてDISCOVERY  SIGNALの無線リソース、信号系列、キャリア周波数、帯域幅等のパラメータを特定し、特定したDISCOVERY  SIGNALの無線リソース、信号系列、キャリア周波数、帯域幅等のパラメータに基づいてDISCOVERY  SIGNALのＲＳＲＰ等又はＣＱＩ等を測定する。また、測定用信号としてＤＭ-ＲＳ又はＣＳＩ-ＲＳを用いる場合、測定部１１７は、ユーザＩＤ（又はユーザグルーＩＤ）に基づいてＤＭ-ＲＳ又はＣＳＩ-ＲＳの擬似ランダム系列やそれに関連するパラメータ、例えば、スクランブリング識別情報（ＳＣＩＤ）やセルＩＤに関連するパラメータを特定し、特定したパラメータに基づいてＤＭ-ＲＳ又はＣＳＩ-ＲＳのＲＳＲＰ等又はＣＱＩ等を測定する。
【０１０８】
また、測定用信号がスモールセル用の同期チャネルに基づいて系列生成される場合は、次のようにして測定用信号の信号系列、無線リソースを特定して測定を行う。ＲＳＲＰ等を測定するための測定用信号としてスモールセル用の同期チャネルを使用し、ＣＱＩ等を測定するための測定用信号としてスモールセル用の同期チャネルのパラメータによって定まる系列に基づいて生成される信号を使用する。この場合、スモールセル固有のDISCOVERY  SIGNALは、無線リソース、信号系列、キャリア周波数、帯域幅等のパラメータが測定用制御信号として制御情報受信部１１６から測定部１１７へ与えられる。測定部１１７は、DISCOVERY  SIGNALのパラメータ（無線リソース、信号系列等）によって定まる系列によってＣＳＩ−ＲＳをスクランブルする系列を特定し、特定した系列情報に基づいて測定用信号としてのＣＳＩ−ＲＳのＣＱＩを測定する。ＣＱＩを測定する測定用信号のパラメータについては基地局から通知されることなく認識することができ、シグナリングを低減できる。
【０１０９】
測定部１１７は、各ローカル局２０からの測定用信号の測定結果（MEASUREMENTレポート、ＣＳＩ情報）をマクロ局３０に送信する。
【０１１０】
スモールセルの下りデータ信号は、下り信号復調・復号部１２０に入力され、下り信号復調・復号部１２０において復号（デスクランブル）及び復調される。また、下り信号復調・復号部１２０は、制御情報受信部１１６から入力されたｅＰＤＣＣＨ受信用の制御情報に基づいて、スモールセルの下り制御信号（ｅＰＤＣＣＨ）を復号（デスクランブル）及び復調する。ｅＰＤＣＣＨ受信用の制御情報には、ローカル局２０からｅＰＤＣＣＨで受信するための無線リソース情報やＤＭ−ＲＳ系列情報等が含まれている。無線リソース情報には、例えば、ｅＰＤＣＣＨの送信間隔、周波数位置、符号（コード）等が含まれる。
【０１１１】
また、マクロセル及びスモールセルの下り信号は、送受信アンテナ１１０、１１１から同時に受信されてもよいし、送受信アンテナ１１０、１１１を切り替えて別々に受信されてもよい。
【０１１２】
以上のように、本実施の形態に係る無線通信システム１によれば、ローカル局２０において任意の特定情報に基づいて測定用信号を生成することができると共に、測定用信号の系列生成の元になる特定情報がハイヤレイヤシグナリング又は報知信号によって移動端末装置１０へ通知されるので、スモールセル固有の測定用信号であっても移動端末装置１０で受信して測定することができる。
【０１１３】
また、本実施の形態に係る無線通信システム１によれば、ユーザＩＤ又はユーザグループＩＤに紐づけられたパラメータに従って測定用信号の信号系列を生成するので、信号系列がセルＩＤに紐づけられた信号に比べて、セルＩＤに制限されずに測定用信号の信号系列を生成できる。また、スモールセル固有の測定用信号であっても移動端末装置１０は認識しているユーザＩＤ又はユーザグループＩＤに基づいて測定用信号を特定して測定することができる。
【０１１４】
また、本実施の形態に係る無線通信システム１によれば、チャネル状態測定用の測定信号がスモールセルの同期チャネルの系列情報に基づいて生成されるので、チャネル状態測定用の測定信号に関する制御情報のシグナリングを削減することができる。
【０１１５】
本発明は上記実施の形態に限定されず、様々変更して実施することが可能である。例えば、本発明の範囲を逸脱しない限りにおいて、上記説明におけるキャリア数、キャリアの帯域幅、シグナリング方法、処理部の数、処理手順については適宜変更して実施することが可能である。その他、本発明の範囲を逸脱しないで適宜変更して実施することが可能である。
【符号の説明】
【０１１６】
１  無線通信システム
１０  移動端末装置
１１６  制御情報受信部
１１７  測定部
１１９、１２０  下り信号復調・復号部
２０  ローカル局
３０  マクロ局
２０１  制御情報生成部
２１２  測定結果受信部
２１３  ローカル局決定部
２１４  初期送信電力決定部
３０１  初期送信電力設定部
３０２  制御情報受信部
３０４  測定用信号生成部
３１３  転送部
【図１】
2014030132.tif 000005
【図２】
2014030132.tif 000006
【図３】
2014030132.tif 000007
【図４】
2014030132.tif 000008
【図５】
2014030132.tif 000009
【図６】
2014030132.tif 000010
【図７】
2014030132.tif 000011